(57)【特許請求の範囲】
【請求項１】
１枚の用紙に複数頁分の画像を記録する製本モードを有する画像情報に基づいて用紙上に画像形成を行う画像形成装置と、前記画像形成装置によって形成された用紙の束の中央にステープルを打ち込む中綴じモードを有する用紙束を折って製本する製本装置と、を制御する制御装置において、
前記製本モードが選択されていない状態で前記中綴じモードを選択しようとしたとき、前記中綴じモードを禁止することを特徴とする制御装置。
【請求項２】
１枚の用紙に複数頁分の画像を記録する製本モードを有する画像情報に基づいて用紙上に画像形成を行う画像形成装置と、前記画像形成装置によって形成された用紙の束の中央にステープルを打ち込む中綴じモードを有する用紙束を折って製本する製本装置と、を制御する制御装置において、
前記製本モードと前記中綴じモードのうち一方のモードが選択された場合、他方のモードを自動的に選択することを特徴とする制御装置。
【請求項３】
１枚の用紙に複数頁分の画像を記録する製本モードを有する画像情報に基づいて用紙上に画像形成を行う画像形成装置と、前記画像形成装置によって形成された用紙の束の中央にステープルを打ち込む中綴じモードを有する用紙束を折って製本する製本装置と、を制御する制御装置において、
前記製本モードと前記中綴じモードのうち一方のモードが選択されたとき、該他方のモードを自動的に選択するか、自動的に選択しないかを選択できることを特徴とする制御装置。
【請求項４】
前記製本モードと前記中綴じモードのうち一方のモードが選択されていない状態で他方のモードの選択をしようとしたとき、警告を発することを特徴とする請求項１〜３のいずれか１つに記載の制御装置。
【請求項５】
前記製本モードと前記中綴じモードとが選択されている状態で、前記製本モードの選択が解除されたとき、前記中綴じモードを解除することを特徴とする請求項１〜４のいずれか１つに記載の制御装置。
【請求項６】
１枚の用紙に複数頁分の画像を記録する製本モードを有する画像情報に基づいて用紙上に画像形成を行う画像形成装置と、前記画像形成装置によって画像形成された用紙の束を折って製本する製本装置と、を制御する制御装置において、
前記画像形成装置による画像形成に先立ち、前記製本装置へ画像形成する用紙のサイズ情報を送信し、
少なくとも前記サイズ情報に基づいた前記製本装置の準備動作が完了した後に、前記画像形成装置によって画像形成された用紙が前記製本装置へと搬送されるように、前記画像形成装置を制御することを特徴とする制御装置。
【請求項７】
画像形成装置によって画像が形成された用紙を１部スタックし、該スタックした１部の用紙にステープルを打ち込む製本装置において、
スタックされた１部の用紙が１枚の用紙であるとき、ステープルを打ち込まないことを特徴とする製本装置。
【発明の詳細な説明】
【０００１】
【発明の属する技術分野】
本発明は、画像情報に基づいて用紙上に画像形成を行う画像形成装置と、画像形成装置によって画像形成された用紙の束を折って製本する製本装置と、を制御する制御装置および画像形成された用紙の束を折って製本する製本装置に関する。
【０００２】
【従来の技術】
複写機やプリンタなど画像形成装置には、ソーターやフィニッシャーなどのオプションも付加できるようになっている一方、近年のデジタル画像処理技術の進歩により、複数枚の原稿の画像を１枚の転写紙上に画像形成する合成機能など種々の機能を有するようになってきている。そのため、このような機能を利用したオプションの一つとして、特開平６−２８６３５８号に記載されているような製本装置が提案されている。すなわち、画像形成装置においては、スキャナーで読み取った原稿画像やホストから入力された画像データを自在に並び替えて画像（合成）処理して、用紙の見開き中央で折って製本したときに、画像の頁順が揃うように画像記録し、そして、製本装置においては、画像記録された一束の用紙の見開き中央にステープルを打ち（中綴じ）、この中央で折って製本を行う。
【０００３】
ところで、画像形成装置は、まず単体で使用することを考慮して開発され、その後、オプション（ソーターやフィニッシャーなど）を付加して使用可能なように開発されてきた。また、オプション（ソータやＡＤＦなど）の機能は、画像形成装置の画像処理とは関係なくそれ単独で機能していた。そのために、従来の画像形成装置の操作パネルは、各オプション毎あるいは画像処理毎にかたまって（タッチパネルの場合単独の操作画面表示となる）単独の操作釦として設けられていた。図７は、画像形成装置の操作パネルの一例を示すものである。オプション（図７の場合は、ステープル機能付きソーター）関係の操作・設定は、図７における領域Ａ内の釦群（あるいは、タッチパネルＢ内のフィニッシングの釦を押した後に表示されるフィニッシング画面内の釦群（図示せず））によって行われる。一方、複数枚の原稿の画像を１枚の転写紙上に画像形成する合成機能などの画像処理の関係の操作・設定は、図７における応用機能釦Ｃを押した後にタッチパネルＢ内に表示される応用機能画面（図示せず）内の合成機能に関する釦群によって行われる。
【０００４】
【発明が解決しようとする課題】
ところが、近年提案されている製本装置を付加した画像形成装置において、製本装置による中綴じは、それ単独で使用するものではなく、画像形成装置の画像（合成）処理を伴って行わなければ、例えば画像形成された文字上にステープルが打ち込まれるといった問題が生じる。そのため、従来の操作パネルによる操作・設定では、図７における領域Ａ内の釦群によって中綴じモードを選択するとともに、応用機能釦Ｃを押した後にタッチパネルＢ内に表示される応用機能画面（図示せず）内の合成機能に関する釦群を選択する必要がある。このように、製本（中綴じ）という動作を画像形成装置および製本装置に行わせる場合は、異なる釦群を操作せねばならず、非常に煩わしいばかりでなく、一方の操作を忘れると所期の機能を果たせない。
【０００５】
ところで、従来のオプションでは、準備可動が簡単なため準備可動と給紙が独立して行われていたが、製本装置をオプションとした場合、規制板やステープルの準備移動など移動に時間がかかり、独立して行われると製本装置側の準備が完了していない段階で給紙がなされると、搬送途中の転写紙を準備動作が完了するまで待機させる必要がありこのための特殊な制御が必要となり、制御（プログラム）が複雑となる。
【０００６】
また、製本装置においては、製本する用紙の束（１部の用紙）をステープルを打ち、製本するためにステープルされた用紙を折るようにしている。ところが、このような製本装置において、画像形成装置によって画像が形成された用紙を製本する場合には、ユーザーは画像形成装置によって形成される画像の形態あるいは原稿のページ数に着目し、画像形成された用紙が何枚になるかは忘れがちになり、そのために、画像の形態（例えば製本のための画像合成の形態）を見て中綴じを選択する。しかしながら、原稿の画像が複数頁あっても画像形成された用紙が１枚になった場合、ステープルを打つ必要がない。
【０００７】
そこで、請求項１〜５に記載の発明は、一方の操作を忘れた場合でも画像形成された文字上にステープルが打ち込まれることを防止することを課題とする。
【０００８】
また、請求項６に記載の発明は、制御を簡潔に行うことを課題とする。
【０００９】
また、請求項７に記載の発明は、ユーザーが忘れがちな形成される用紙の数に考慮し、最適な製本動作を行うことを課題とする。
【００１０】
【課題を解決するための手段】
上記課題は、以下の構成により解決することができる。
【００１１】
（１）  １枚の用紙に複数頁分の画像を記録する製本モードを有する画像情報に基づいて用紙上に画像形成を行う画像形成装置と、前記画像形成装置によって形成された用紙の束の中央にステープルを打ち込む中綴じモードを有する用紙束を折って製本する製本装置と、を制御する制御装置において、前記製本モードが選択されていない状態で前記中綴じモードが選択されたとき、前記中綴じモードを禁止することを特徴とする制御装置。
【００１２】
（２）  １枚の用紙に複数頁分の画像を記録する製本モードを有する画像情報に基づいて用紙上に画像形成を行う画像形成装置と、前記画像形成装置によって形成された用紙の束の中央にステープルを打ち込む中綴じモードを有する用紙束を折って製本する製本装置と、を制御する制御装置において、前記製本モードと前記中綴じモードのうち一方のモードが選択された場合、他方のモードを自動的に選択することを特徴とする制御装置。
【００１３】
（３）  １枚の用紙に複数頁分の画像を記録する製本モードを有する画像情報に基づいて用紙上に画像形成を行う画像形成装置と、前記画像形成装置によって形成された用紙の束の中央にステープルを打ち込む中綴じモードを有する用紙束を折って製本する製本装置と、を制御する制御装置において、前記製本モードと前記中綴じモードのうち一方のモードが選択されたとき、該他方のモードを自動的に選択するか、自動的に選択しないかを選択できることを特徴とする制御装置。
【００１４】
（４）  前記製本モードと前記中綴じモードのうち一方のモードが選択されていない状態で他方のモードの選択がなされたとき、警告を発することを特徴とする（１）〜（３）のいずれか１つに記載の制御装置。
【００１５】
（５）  前記製本モードと前記中綴じモードとが選択されている状態で、前記製本モードの選択が解除されたとき、前記中綴じモードを解除することを特徴とする（１）〜（４）のいずれか１つに記載の制御装置。
【００１６】
（６）  １枚の用紙に複数頁分の画像を記録する製本モードを有する画像情報に基づいて用紙上に画像形成を行う画像形成装置と、前記画像形成装置によって画像形成された用紙の束を折って製本する製本装置と、を制御する制御装置において、前記画像形成装置による画像形成に先立ち、前記製本装置へ画像形成する用紙のサイズ情報を送信し、少なくとも前記サイズ情報に基づいた前記製本装置の準備動作が完了した後に、前記画像形成装置によって画像形成された用紙が前記製本装置へと搬送されるように、前記画像形成装置を制御することを特徴とする制御装置。
【００１７】
（７）  画像形成装置によって画像が形成された用紙を１部スタックし、該スタックした１部の用紙の中央にステープルを打ち込む製本装置において、スタックされた１部の用紙が１枚の用紙であるとき、ステープルを打ち込まないことを特徴とする製本装置。
【００１８】
【発明の実施の形態】
以下、図面に基づいて本発明の実施の形態を説明する。図１は、画像形成装置１０と製本装置（製本機ともいう）５０の概略断面構成図である。画像形成装置（以下、複写機あるいは複写機本体ともいう）１０は、自動原稿送り装置１１を有している電子写真方式のデジタル複写機であるが、プリンタであってもあるいは電子写真方式以外であってもよい。
【００１９】
自動原稿送り装置１１にセットされた一組の原稿Ｄは、１枚ずつ分離・搬送され、複写機本体１０のプラテンガラス１３上に載置され、画像読取手段であるスキャナー１４によって原稿Ｄの画像が読取られた後、排紙皿１２へと排紙される。なお、この自動原稿送り装置１１は、本実施の形態のように排紙皿１２へ排紙するのではなく、セットされている一組の原稿へと戻すいわゆる循環型であっても、また、原稿Ｄの表裏を反転させる両面型であってもよい。
【００２０】
プラテンガラス１３上に載置された原稿Ｄは、スキャナー１４の走査光学系によってその画像が光電変換手段であるＣＣＤ１５によって読み取られる。読み取られた原稿の画像は、画像形成手段２０によって、公知の電子写真プロセスにより、転写紙上にトナー像が定着され、画像形成がなされる。すなわち、読み取られた原稿の画像は、帯電手段２１によって一様帯電した回転する感光体２２上に、露光手段２３で露光され、静電潜像が形成される。感光体２２上に形成された静電潜像は、現像手段２４によってトナー像が形成される。形成されたトナー像は、トレイ２８ａ，２８ｂ，２８ｃから搬送される転写紙上に、転写手段２５でもって転写される。トナー像が転写された転写紙は、定着手段２６によって定着がなされる。一方、トナー像を転写した感光体２２は、クリーニング手段２７によってクリーニングされる。
【００２１】
定着された転写紙は、複写機本体１０に接続された製本装置５０へと排出され、製本装置５０内の搬送手段（図番なし）によって、製本装置５０外の排紙トレイ５１上へと排紙される。
【００２２】
以上の説明は、転写紙の片面に画像形成を行い、そのまま排紙トレイ５１上へ排紙するプロセスであるが、本実施の形態において複写機１０は、転写紙の両面に画像形成が行うことが可能なように、転写紙反転手段２９を有している。転写紙反転手段２９は、定着手段２６によって片面が定着された転写紙の表裏を反転し、再度、転写手段２５へと搬送する手段であって、他方の面に上述と同様のプロセスを施すことにより転写紙の両面に画像形成がなされる。
【００２３】
また、本実施の形態の複写機１０は、自動原稿送り装置１１によって、プラテンガラス１３上に送られた原稿Ｄを、スキャナー１４によって読み取り、画像記憶手段１６に記憶するように構成している。この画像記憶手段１６には、自動原稿送り装置１１にセットされた一組の原稿Ｄすべての画像情報を記憶するようになっている。
【００２４】
ところで、本実施の形態では、図示しない複写機１０の操作パネルの操作により製本モードが選択されたとき（後段において詳述する）は、スキャナー１４によって読み取られた一組の原稿の画像情報を、転写紙の見開き中央で折って製本したときに画像の頁順が揃うように一組の原稿の画像情報を並び替え、さらに、１枚の転写紙（用紙）上に複数頁分の原稿の画像を記録するように合成する並び替え・合成手段１７を有している。
【００２５】
この製本モードについて、製本モードの際の画像形成された転写紙を模式的に示した図２に基づいて説明する。なお、図２中の数字は原稿の頁数を表しており、また、１枚の転写紙の中央部の点線で示される領域は後段において詳述する中綴じモード時にステープルが打ち込まれ、あるいは、さらに中折りがなされる領域を示している。８枚の原稿がある場合に、製本モードで形成される画像は、図２の如くになるように画像形成がなされる。すなわち、１枚目の転写紙の片面には１頁目と８頁目の原稿の画像を、他面は２頁目と７頁目の原稿の画像を、また、２枚目の転写紙の片面には３頁目と６頁目の原稿の画像を、他面は４頁目と５頁目の原稿の画像を、記録できるように、並び替え・合成手段１７が、画像記憶手段１６に記憶された原稿の画像情報を並び替え、合成処理を施す。なお、図２においては、転写紙の片面に２頁分の原稿の画像を合成するいわゆる２ｉｎ１であるが、転写紙の片面に４頁分の原稿の画像を合成する４ｉｎ１、さらには８ｉｎ１などで行ってもよく、また、図２においては横長の転写紙と縦長の原稿の画像としたが、これに限られず、縦長の転写紙や横長の原稿としてもよい。
【００２６】
次に、本実施の形態の複写機１０にオプションとして有している製本装置５０の動作について説明する。
【００２７】
上述したように、製本装置５０は、複写機１０で画像形成された転写紙を排紙するだけのときはそのまま転写紙を排紙トレイ５１へ排紙する。また、図示しない複写機１０の操作パネルの操作により中綴じモードが選択されたとき（後段において詳述する）は、複写機本体１０から排紙された転写紙は、スタック手段５２のスタックトレイ５３上にスタックされる。このスタック手段５２は、スタックトレイ５３、先端規制板５４、後端規制板５５、および、図示しない側端規制板を有しており、複写機本体１０から排紙された転写紙を１部（自動原稿送り装置１１上にセットされた１組の原稿のすべての画像形成がなされた複数枚の転写紙であり、以下、転写紙の束ともいう）端部を揃えて、傾斜させた状態で貯留する。先端規制板５４は、スタックトレイ５３上の転写紙の傾斜方向先端側を規制する部材であり、後段の中折り手段５７へ転写紙の束を搬送する際には、その経路上から退避するようになっている。また、後端規制板５５は、スタックトレイ５３上の転写紙の傾斜方向後端側を規制する部材であり、転写紙のサイズに応じてスタックトレイ５３上をスライドする。なお、図示しない側端規制板は、転写紙の幅方向（図１において紙面垂直方向）を規制する部材であり、転写紙のサイズに応じてスタックトレイ５３上をスライドする。
【００２８】
スタック手段５２によりスタックされた転写紙の束は、ステープル手段５６により中綴じがなされる。このステープル手段５６は、転写紙の中央（図２における点線領域内）にステープルを打ち込む手段であって、転写紙のサイズに応じて転写紙の中央に移動する。
【００２９】
ステープル手段５６によりステープルが打ち込まれた転写紙の束は、先端規制板５４がその経路上から退避されることにより、中折り手段５７へと搬送される。中折り手段５７は、中折りを行う中折りローラ５７ａ、中折りトレイ５８、中折り規制板５９などを有しており、ステープルされた転写紙の束を中折りする手段である。中折りトレイ５８は、ステープルされ搬送された転写紙の束を、一旦、留めるためのトレイである。中折り規制板５９は、中折りトレイ５８上の転写紙の束が中折りローラ５７ａによって中折りされるときに、転写紙の束の中央が所定の位置に位置するように先端を規制する部材であり、転写紙のサイズに応じて中折りトレイ５８上をスライドする。
【００３０】
中折り手段５７により中折りされながら転写紙の束は、後段の切断手段６０へと搬送される。切断手段６０は、挟持ローラ対６１、カッター６２などを有しており、中折りされた転写紙の束の後端側（中折りされた状態で見て、中折りされた側とは反端側）を切断する手段である。挟持ローラ対６１は、中折りされた転写紙の束の先端を挟持した状態で保持する部材であり、この挟持ローラ対６１によって挟持された状態で、カッター６２によって転写紙の束の後端側がカットされる。なお、このカッター６２は、転写紙のサイズに応じてスライドするように構成されている。
【００３１】
このようにして、ステープルが打たれ（中綴じがなされ）、中折りがなされ、さらに、切断がなされた転写紙の束は、排紙トレイ５１へと排紙される。なお、本実施の形態では、中綴じモードが選択されると上述したように、中綴じだけでなく、中折り、切断がなされるように示したが、これに限られることはなく、本発明を実施する上においては、少なくとも中綴じ（ステープルが転写紙の中央に打つ）を行えばよい。
【００３２】
このような製本装置５０を備えた複写機１０の制御は、画像形成装置１０と製本装置５０の機能ブロック図である図３によってなされる。すなわち、製本装置５０には製本装置５０内のスタック手段５２、ステープル手段５６、中折り手段５７、切断手段６０、および、搬送手段（図番なし）などの各種手段、部材を制御する制御手段７１を有しており、また、複写機１０には、上述した複写機１０内に有している各種手段、部材などを制御する制御手段（制御装置）７０を有している。この複写機１０の制御装置７０は、前記製本装置５０の制御手段７１へタイミングや情報を与え間接的に製本装置をも制御するように成っており、すなわち、この複写のシステム全体の管理をも行う。
【００３３】
複写機の制御装置７０から製本装置５０の制御手段７１へ送られる情報の一つとして、転写紙のサイズ情報がある。この送られた転写紙のサイズ情報に基づいて、製本装置５０の制御手段７１は、スタック手段５２の後端規制板５５や側端規制板、ステープル手段５６、中折り手段５７の中折り規制板５９、カッター６２など各手段を、転写紙のサイズに応じて移動させる（この移動を準備動作ともいう）。製本装置５０の制御手段７１は、この準備動作を完了すると、複写機１０の制御装置７０へ、準備動作が完了したことを知らせる信号を発するように構成している。
【００３４】
次の、この複写機１０の制御装置７０のフローチャートを示した図４に基づいて、この複写機１０のシステムの動作を説明する。
【００３５】
まず、複写機１０の電源が投入されると（Ｓ１）、イニシャライズされ（Ｓ２）複写機１０を待機状態までする。その後、操作パネル（図示はしないが、図７に示されるような操作パネル）のコピー釦が押されるまで（Ｓ４）操作釦処理を行う（Ｓ３）。この操作釦処理は、操作パネルに設けられた各種釦（例えば、濃度釦、倍率釦、部数釦、各種の機能釦、オプション操作の釦など）の処理を行うルーチンである。なお、本実施の形態では、上述した製本モードを選択するための製本モード選択釦および上述した中綴じモードを選択するための中綴じモード選択釦の操作釦処理については、後段において、詳述する。
【００３６】
コピー釦が押されると、画像の読み取りが開始される（Ｓ５）。すなわち、自動原稿送り装置１１が原稿を１枚ずつ送り出し、スキャナー１４により原稿の画像情報が読み取られ、読み取られた画像情報は、一旦、画像記憶手段１６に格納される。
【００３７】
読み取りが開始されると、中綴じモードが選択されているか否かを調べ（Ｓ６）、中綴じモードが選択されていれば製本装置５０の制御手段７１へ転写紙のサイズ情報を送信する（Ｓ７）。なお、転写紙のサイズ情報は、自動原稿送り装置１１によって送られる際やスキャナー１４で読み取る際に取得した原稿のサイズ情報と操作パネルから設定された各種モードにより複写機１０が選択した転写紙のサイズ情報あるいは操作パネルにより指定された転写紙のサイズ情報である。製本装置５０の制御手段７１では、上述したように送信された転写紙のサイズ情報に基づいて準備動作を行い、準備動作が完了したら複写機１０の制御装置７０へ完了したことを知らせる信号を送信する。この準備動作完了の信号を受けると（Ｓ８）、あるいは、Ｓ６において中綴じモードでなかったら、画像形成手段２０へ画像形成を開始する画像形成開始信号を送信し、かつ、制御して、画像形成を開始する。（Ｓ９）
なお、Ｓ９における画像形成は、製本モードが選択されていれば、上述したように、画像記憶手段１６に記憶された原稿の画像情報を並び替え・合成手段１７により並び替え、合成処理を施した画像情報に基づいて転写紙上にトナー像が形成されることはいうまでもない。
【００３８】
Ｓ９において画像形成が開始され、画像形成された転写紙は、中綴じモードでなければ（Ｓ１０）、そのまま排紙トレイ５１へと搬送され排紙される。そして、複写機１０の操作パネルによって設定され、複写する原稿の画像の数に応じた部数の全てが排紙される（Ｓ１２）と、Ｓ３の操作釦処理に移り、次の複写動作を待つ。
【００３９】
一方、Ｓ１０において、中綴じモードが選択されていれば、スタック手段５２へ転写紙を搬送し、準備動作で移動が完了している後端規制板５５、側端規制板や先端規制板５４によって、規制されながらスタックトレイ５３上にスタックされる。そして、１部の転写紙がスタックされると（Ｓ１３）、スタックされた転写紙が１枚かどうかを判断し（Ｓ１４）、１枚でなければ準備動作で転写紙の中央に移動しているステープル手段５６により中綴じがなされる（Ｓ１５）。中綴じがなされると、上述したように、中折り手段５７による中折り（Ｓ１６）、切断手段６０による切断（Ｓ１７）がなされ、排紙トレイ５１上へ排紙される（Ｓ１１）。一方、Ｓ１４において、スタックされた転写紙が１枚であると、中綴じモードが選択されているに係わらず中綴じはなされず、中折り手段５７による中折りがなされ（Ｓ１６′）、さらに、切断手段６０による切断もなされずに、排紙トレイ５１上へ排紙される（Ｓ１１）。
【００４０】
このフローの説明から明らかなように、本実施の形態では、製本装置５０の準備動作が完了した後に画像形成を開始するように制御することにより、製本装置５０に準備段階でエラーが生じたとしてもそれを画像形成の前に捉えることができ、ジャム処理などが必要がなく操作性が向上する。なお、本実施の形態では、準備動作が完了した後に画像形成を開始するようにしたが、これに限られず、少なくとも送信したサイズ情報に基づいて製本装置５０の準備動作が完了した後に、複写機１０によって画像形成された転写紙が製本装置５０へと搬送されるように、複写機１０の画像形成手段２０を制御すればよく、複写機１０の制御を簡単にできる。この場合、複写機１０の画像形成手段２０へ画像形成開始信号を送信するあるいは搬送手段へ搬送開始（この場合、感光体２２の直前で転写紙を待機させるレジストローラへの給紙開始）させる信号を送信するようにしてもよい。これを実施するためには、サイズ情報を送信してから所定時間（準備動作が完了した後に、転写紙が製本装置５０へと搬送されるような時間）経過後に画像形成を開始する、あるいは、製本装置５０の制御手段７１から準備動作がほぼ完了した時点で完了を示し信号を送信するなどにより行うことができる。
【００４１】
また、本実施の形態では、スタックされた１部の用紙が１枚の用紙であるとき、ステープルを打ち込まずに用紙を折るようにしているので、ユーザーが忘れがちな形成される用紙の数に考慮し、最適な製本動作を行うこと、すなわち、１枚の用紙ではステープルが必要ないので打ち込まないようにすることができる。なお、本実施の形態では、ステープルを打ち込まずかつ切断をせずに中折りのみを行うようにしたが、ステープルを打ち込まないようにするだけでもよい。
【００４２】
次に、図４のＳ２における操作釦処理のうち、上述した製本モードを選択するための製本モード選択釦の操作釦処理および中綴じモードを選択するための中綴じモード選択釦の操作釦処理について、図５、６に基づいて説明する。なお、製本モード選択釦は、製本モードが画像処理に関する機能なので、図７における応用機能釦Ｃを押した後にタッチパネルＢ内に表示される応用機能画面（図示せず）内の合成機能に関する釦群に設けられており、また、中綴じモード選択釦は、オプション関係の機能なので、図７における領域Ａ内の釦群、および、タッチパネルＢ内のフィニッシングの釦を押した後に表示されるフィニッシング画面内の釦群（図示せず）内に設けられている。
【００４３】
なお、製本モード選択釦と中綴じモード選択釦の両釦は、それぞれ選択する場合と解除する場合は、同じ釦で操作されるよう構成しているが、これに限らず、選択用の釦と解除用の釦とで構成してもよい。また、両釦は、互いに異なる領域、あるいは、異なる画面内設けたが、同じ領域または同じ画面内に設けてもよい。
【００４４】
まず、図４のＳ２における操作釦処理のうち、上述した製本モードを選択するための製本モード選択釦の操作釦処理について、図５に基づいて説明する。
【００４５】
製本モード選択釦がユーザーにより押圧されると（Ｓ１８）、押圧される前に製本モードが選択されている状態であったか否かを判断する（Ｓ１９）。押圧される前に製本モードが選択されていない状態（製本モードが解除されている状態）であったなら、製本モードを選択し（Ｓ２０）、複写機１０に製本装置５０が付いているか（中綴じを行う中綴じ機であってもよい）か否かを判断し（Ｓ２１）、製本装置５０が付いていなければ製本モード選択釦処理を終了し、製本装置５０が付いていれば、中綴じ優先かどうかを判断する（Ｓ２２）。
【００４６】
この中綴じ優先とは、図示しない操作パネルによって、製本モードが選択されたときに中綴じモードを自動的に選択させるか、自動的に選択しないかを選択するスイッチを設け、このスイッチを、製本モードが選択されたときに中綴じモードを自動的に選択させるように設定していることを表している。
【００４７】
Ｓ２２において、中綴じ優先でないならば製本モード選択釦処理を終了し、中綴じ優先であるならば中綴じモードが選択されている状態であろうがなかろうがに関係なく中綴じモードを自動的に選択し（Ｓ２３）、製本モード選択釦処理を終了する。なお、Ｓ２２において、中綴じモード優先であり中綴じモードが選択されている状態の場合は、Ｓ２３において中綴じモードを自動的に選択しなくても、中綴じモードが選択されている状態なので、Ｓ２３をスキップするようにしてもよい。
【００４８】
一方、Ｓ１９において、製本モード選択釦が押圧される前に製本モードが選択されている状態であったなら、製本モードを解除し（Ｓ２４）、複写機１０に製本装置５０が付いているか（中綴じを行う中綴じ機であってもよい）か否かを判断し（Ｓ２５）、製本装置５０が付いていなければ製本モード選択釦処理を終了し、製本装置５０が付いていれば、中綴じモードが選択されているかどうかを判断する（Ｓ２６）。
【００４９】
Ｓ２６において、中綴じモードが選択されていないならば製本モード選択釦処理を終了し、中綴じモードが選択されているならば、中綴じモードを自動的に解除し（Ｓ２７）、製本モード選択釦処理を終了する。
【００５０】
次に、図４のＳ２における操作釦処理のうち、上述した中綴じモードを選択するための中綴じモード選択釦の操作釦処理について、図６に基づいて説明する。
【００５１】
この中綴じモード選択釦処理においては、まず最初に複写機１０に製本装置５０が付いているか（中綴じを行う中綴じ機であってもよい）か否かを判断し（Ｓ３０）、製本装置５０が付いていなければ中綴じモード選択釦処理を終了し、製本装置５０が付いていれば、中綴じモード選択釦が押圧されたか否かを判断する（Ｓ３１）。これは、製本装置５０はオプションなので付いていなければこれ以降の中綴じモード選択釦処理をスキップして処理を減らすことができる。なお、図５において製本モード選択釦処理ではこのように行っていないのは、製本モードがオプションではないためである。
【００５２】
Ｓ３１において、中綴じモード選択釦が押圧されていなければ、中綴じモード選択釦処理を終了し、押圧されていれば、押圧される前に中綴じモードが選択されている状態であったか否かを判断する（Ｓ３２）。押圧される前に中綴じ本モードが選択されている状態であったなら、中綴じモードを解除して（Ｓ３３）、中綴じモード選択釦処理を終了する。一方Ｓ３２において、押圧される前に中綴じ本モードが選択されていない状態（中綴じモードが解除されている状態）であったなら、製本優先かどうかを判断する（Ｓ３４）。
【００５３】
この製本優先とは、図示しない操作パネルによって、中綴じモードが選択されたときに製本モードを自動的に選択させるか、自動的に選択しないかを選択するスイッチを設け、このスイッチを、中綴じモードが選択されたときに製本モードを自動的に選択させるように設定していることを表している。
【００５４】
Ｓ３４において、製本優先であるならば中綴じモードが選択されている状態であろうがなかろうがに関係なく製本モードを自動的に選択し（Ｓ３５）、次いで、中綴じモードを選択し（Ｓ３６）、製本モード選択釦処理を終了する。一方、Ｓ３４において、製本優先でないならば、製本モードが選択されている状態か否かの判断をし（Ｓ３７）、製本モードが選択されている状態であれば、中綴じモードを選択し（Ｓ３６）、製本モード選択釦処理を終了する。
【００５５】
また、Ｓ３７において、製本モードが選択されていない状態（製本モードが解除されている状態）であれば、図示しない表示部（操作パネルがタッチパネルの場合、その表示部）に警告表示を行う（Ｓ３８）。この警告表示は、製本モードが選択されていないのに、ユーザーが中綴じモードを選択しようとしているので、画像形成された文字上にステープルが打ち込まれる恐れがあることを知らせる。そして、本実施の形態では図示しないスイッチにより警告のみをするか中綴じモードの選択を禁止するかを選択できるようになっており、Ｓ３９において、警告のみの場合は中綴じモードを選択して（Ｓ３６）、また禁止する場合はそのままで（すなわち、中綴じモードを選択しない）製本モード選択釦処理を終了する。
【００５６】
このように、本実施の形態においては、製本モードが選択されていない状態で中綴じモードを選択しようとしたとき、中綴じモードを禁止する（Ｓ３２（ＮＯ）→Ｓ３７（ＮＯ）→終了のステップ）ので、画像形成された文字上にステープルが打ち込まれることを防止できる。なお、製本モードを選択しようとしたとき（Ｓ１９（ＮＯ）のステップ）は、中綴じモードを選択していなくても製本モードが選択される（Ｓ２０）ようにしているが、これは、中綴じをしなくても製本モードで画像形成することを可能にしている。
【００５７】
また、本実施の形態では、製本モードと中綴じモードのうち一方のモードが選択された場合、他方のモードを自動的に選択する（Ｓ１９（ＮＯ）→Ｓ２０→Ｓ２３→終了のステップ、Ｓ３２（ＮＯ）→Ｓ３５→Ｓ３６→終了のステップ）ので、ユーザーが一方の選択操作を忘れたとしても、自動的に選択して、製本と中綴じを行うので、操作性が向上すると共に、画像形成された文字上にステープルが打ち込まれることが防止できる。
【００５８】
また、本実施の形態では、製本モードと中綴じモードのうち一方のモードが選択されたとき、他方のモードを自動的に選択するか、自動的に選択しないかを選択できる（Ｓ２２およびＳ３４であり、このスイッチを切り替える）ことにより、選択肢が増え、種々のユーザーに対応した機器となる。
【００５９】
また、本実施の形態では、製本モードが選択されていない状態で中綴じモードの選択をしようとしたとき、警告を発するようにする（Ｓ３８）ことにより、ユーザーに画像形成された文字上にステープルが打ち込まれる恐れがあることを知らしめることができるようにしたが、中綴じモードが選択されていない状態で製本モードの選択がなされたときにも警告を発するようにしてもよく、この場合も、ユーザーが選択し忘れている可能性があることを知らしめることができる。
【００６０】
また、本実施の形態では、製本モードと中綴じモードとが選択されている状態で、製本モードの選択が解除されたとき、中綴じモードを解除する（Ｓ１９（ＹＥＳ）→Ｓ２４→Ｓ２６（ＹＥＳ）→Ｓ２７→終了のステップ）ようにすることにより、画像形成された文字上にステープルが打ち込まれることを防止する。なお、本実施の形態では、製本モードと中綴じモードとが選択されている状態で、中綴じモードの選択が解除されたとき、製本モードは解除しない（Ｓ３２（ＹＥＳ）→Ｓ３３→終了のステップ）ようにしたのは、中綴じをしなくても製本モードで画像形成してユーザーのニーズに合わせたプリントを可能として好ましいが、製本モードを解除してもよい。
【００６１】
【発明の効果】
以上説明したように、請求項１に記載の発明においては、画像形成された文字上にステープルが打ち込まれることを防止できる。
【００６２】
また、請求項２に記載の発明においては、ユーザーが一方の選択操作を忘れたとしても、自動的に選択して、製本と中綴じを行うので、操作性が向上すると共に、画像形成された文字上にステープルが打ち込まれることが防止できる。
【００６３】
また、請求項３に記載の発明においては、選択肢が増え、種々のユーザーに対応した機器（ユーザーカスタマイズが可能）となる。
【００６４】
また、請求項４に記載の発明においてはユーザーに画像形成された文字上にステープルが打ち込まれる恐れがあることを知らしめることができる。
【００６５】
また、請求項５に記載の発明においては画像形成された文字上にステープルが打ち込まれることを防止する。
【００６６】
また、請求項６に記載の発明においては、複写機の制御を簡単にできる。
【００６７】
また、請求項７に記載の発明においては、ユーザーが忘れがちな形成される用紙の数に考慮し、最適な製本動作を行うこと、すなわち、１枚の用紙ではステープルが必要ないので打ち込まないようにすることができる。
【図面の簡単な説明】
【図１】画像形成装置と製本装置の概略断面構成図である。
【図２】製本モードの際の画像形成された転写紙を模式的に示した図である。
【図３】画像形成装置と製本装置の機能ブロック図である。
【図４】複写機の制御装置のフローチャートを示した図である。
【図５】製本モード選択釦の操作釦処理に関するフローチャート図である。
【図６】中綴じモード選択釦の操作釦処理に関するフローチャート図である。
【図７】画像形成装置の操作パネルの一例を示す図である。
【符号の説明】
１０  複写機（画像形成装置）
１１  自動原稿送り装置
１４  スキャナー
１６  画像記憶手段
１７  並び替え・合成手段
２０  画像形成手段
５０  製本装置
５２  スタック手段
５６  ステープル手段
５７  中折り手段
６０  切断手段
【図１】
0003799707.tif 000002
【図２】
0003799707.tif 000003
【図３】
0003799707.tif 000004
【図４】
0003799707.tif 000005
【図５】
0003799707.tif 000006
【図６】
0003799707.tif 000007
【図７】
0003799707.tif 000008